(57)【要約】【課題】既存のカーナビを破棄することなく、新たなシステムに安価に対応できる。【解決手段】既存のカーナビに用いる手持ちのＣＤ−ＲＯＭまたはＣＤ−Ｒ、もしくはＤＶＤ−ＲＯＭまたはＤＶＤ−Ｒを販売装置３０に挿入し、ユーザが更新を指定する地域を指定することで、新規情報部分を書き換えたＣＤ−ＲもしくはＤＶＤ−Ｒを提供することができる。オペレータ１００が地図情報投入端末装置１０に最新地図情報を入力することにより、この情報を地図情報管理サーバ２０に送信すると、地図情報管理サーバ２０はこの情報で地図情報データベース２００を更新する。そして、大容量情報転送網４０を経由してコンビニやガソリンスタンドに設置された地図情報販売装置３０に送信することで、地図情報販売装置３０からユーザに対して指定された地域のみの最新情報のＣＤ−ＲまたはＤＶＤ−Ｒを販売する。【選択図】        図１
2004317735.tif 000002
【特許請求の範囲】
【請求項１】
カーナビを含むナビゲーションシステムの地図情報を更新するシステムであって、
最新の地図情報を保有する地図情報データベースを備えた地図情報管理サーバと、
該地図情報管理サーバから大容量情報転送網を経由して転送された更新情報を受信し、最新情報に更新するとともに、ユーザが希望する地域の最新情報の記録媒体を自動販売する１以上の地図情報販売装置とを具備することを特徴とするナビゲーションシステムの電子地図部分更新システム。
【請求項２】
カーナビを含むナビゲーションシステムの地図情報を更新するシステムであって、
オペレータからの最新地図情報を入力処理し、該最新地図情報を送信する地図情報投入用端末装置と、
該地図情報投入端末装置から送信された最新地図情報を受信し、接続する地図情報データベースの蓄積情報を該最新地図情報に更新し、更新した地図情報を大容量情報転送網を経由して定期的に送信する地図情報管理サーバと、
該地図情報管理サーバから送信された最新地図情報を受信し、格納している地図情報を最新地図情報に更新し、ユーザの操作により、該ユーザが所有する地図情報を一旦読み出し、該ユーザが更新を要求する地域のみを最新化した記録媒体を排出する地図情報販売装置とを有することを特徴とするナビゲーションシステムの電子地図部分更新システム。
【請求項３】
カーナビを含むナビゲーションシステムの地図情報を更新するシステムの地図情報販売装置であって、
ユーザにより投入された料金を受付けて確認する手段と、ユーザによる指定操作により地方名、県名、市町村名などの地域単位で最新化する指定地域を受付けて確認する手段と、ユーザにより投入された電子地図を受付けて確認する手段と、該電子地図の地図情報を一旦読み出し、格納している最新地図情報に基づいて該指定地域のみを最新情報に更新し、排出する手段とを有することを特徴とする電子地図部分更新販売装置。
【請求項４】
請求項１記載のナビゲーションシステムの電子地図部分更新システムにおいて、
前記地図情報管理サーバは、地図情報作成会社あるいはその他の代行会社により管理され、
前記地図情報販売装置は、コンビニまたはガソリンスタンドを含む商店または公共企業体が管理することを特徴とするナビゲーションシステムの電子地図部分更新システム。
【請求項５】
カーナビを含むナビゲーション用の地図情報を記録した記録媒体であって、
ユーザが所有する電子地図の地図情報を個々のユーザの希望に応じて必要最小限の地方名、県名、市区町村名を含む地域単位で最新化し、ユーザ所有の電子地図の地図情報を記録した記録媒体と互換性のある記録媒体に記録したことを特徴とする地図情報を用いたナビゲーションシステムの電子地図を部分更新記録した記録媒体。
【請求項６】
カーナビを含むナビゲーションシステムの地図情報更新方法であって、
地図情報投入端末装置がオペレータによる最新地図情報を入力処理するステップと、該地図情報投入端末装置が該最新地図情報を地図情報管理サーバに送信するステップと、該地図情報管理サーバに結合された地図情報データベースに蓄積されている地図情報を更新するステップと、該地図情報管理サーバが該地図情報投入用端末装置に地図情報更新終了を送信するステップと、該地図情報投入端末装置が該地図情報管理サーバから地図情報更新終了通知を受信して、入力完了を表示することでオペレータに知らせるステップと、該地図情報管理サーバが該地図情報データベースより更新された地図情報を読み出すステップと、該地図情報管理サーバが読み出した該地図情報を大容量情報転送網を経由して地図情報販売装置に転送するステップと、該地図情報販売装置が該地図情報販売装置に記憶されている地図情報を更新するステップと、該地図情報販売装置がユーザからの投入料金を受付け確認するステップと、該地図情報販売装置が個々のユーザの要求に応じて地方名、県名、市区町村名を含む地域単位の地図情報を確認処理し、必要最小限の地図情報のみの更新を指定するステップと、該地図情報販売装置によりユーザの投入した電子地図である地図情報を記録した記録媒体を受付け確認処理するステップと、該地図情報販売装置により該地図情報を一旦読み出すステップと、該読み出した地図情報をユーザの指定する地域のみを最新化するステップと、地図情報販売装置によりユーザの該記録媒体と互換性のある記録媒体に記録するステップと、地図情報販売装置により記録した該記録媒体を排出するステップとを有することを特徴とするナビゲーションシステムの電子地図部分更新方法。
【請求項７】
カーナビを含むナビゲーションシステムの電子地図部分更新用プログラムであって、
地図情報管理サーバのコンピュータに、地図情報投入端末装置にオペレータによる最新地図情報の入力処理を指示する手順、該地図情報投入端末装置に該最新地図情報を該地図情報管理サーバに送信するよう指示する手順、該最新地図情報を受信し、結合されている地図情報データベースに蓄積された地図情報を該最新地図情報により更新する手順、該地図情報投入端末装置に地図情報更新終了を送信する手順、該地図情報投入端末装置に該更新終了を受信させ、入力完了を表示させるように指示する手順、該地図情報管理サーバが該地図情報データベースより更新された地図情報を読み出す手順、読み出した該地図情報を大容量情報転送網を経由して地図情報販売装置に転送する手順を、実行させるための電子地図部分更新用プログラム。
【請求項８】
カーナビを含むナビゲーションシステムの電子地図部分更新用プログラムであって、
地図情報販売装置のコンピュータに、地図情報管理サーバから転送された地図情報を受信する手順、受信した地図情報により、該地図情報販売装置に記憶されている地図情報を更新する手順、ユーザからの投入料金を受付けて確認処理する手順、個々のユーザの要求に応じて地方名、県名、市区町村名を含む地域単位の地図情報を確認処理し、必要最小限の地図情報のみの更新を行う手順、ユーザの投入した電子地図である地図情報を記録した記録媒体を受付け確認処理する手順、該地図情報を一旦読み出す手順、該読み出した地図情報をユーザの指定する地域のみを最新化する手順、該最新化された地図情報をユーザの該記録媒体と互換性のある記録媒体に記録する手順、記録した該記録媒体を排出する手順を、実行させるための電子地図部分更新用プログラム。
【請求項９】
請求項７または８に記載の電子地図部分更新用プログラムを記録したコンピュータ読み出し可能な記録媒体。
【発明の詳細な説明】
【０００１】
【発明の属する技術分野】
本発明は、カーナビを含むナビゲーションシステム用地図情報に関し、特に部分更新システム、販売装置、記録媒体および部分更新方法とそのプログラムに関する。
【０００２】
【従来の技術】
従来、ナビゲーションに用いる地図の情報は、年々高精度のものが要求されており、最近では２５ｍスケールの地図が主流となりつつある。以前は、１００ｍや２００ｍのスケールであったが、１６倍以上の情報量となり、関東地域だけでも数枚のＣＤ−ＲＯＭとなり、１Ｇバイトを超える情報量となっている。最近では、さらに１０ｍスケールのものまで現れて来ているので、さらに地図情報の情報量が増加する傾向にある。また、地図情報を無線通信情報網を経由して直接カーナビ端末に取り込む方法が試みられているが、高精度地図を扱うには不得意であって、低速伝送速度による地図情報の提供を行うカーナビシステムでは機能的に不満足である。
【０００３】
一方、地図情報は、新たに道路が整備されたり、一方通行などの規制が加えられたりして、日々変化しており、快適なナビゲーションを利用したいと思うユーザは、常に最新版の地図情報ＣＤ−ＲＯＭやＤＶＤ−ＲＯＭを購入する必要がある。
この場合には、ユーザが希望しない不要な地域の地図情報も含まれた電子地図ＲＯＭを購入しなければならない。
上記の解決策として、例えば特開２００２−５６６９号公報による図４で示すシステム（特許文献１参照）がある。このシステムにおいて、最新化した地図ソフトを作成するには、ユーザが家庭用にパソコン３とそれに接続した記録媒体７を記録する装置（書き換えユニット４）を持ち、記録媒体７に記録する操作を行えることをユーザに要求するものである。従って、全てのユーザに適したシステムとは言い難い。
【０００４】
また、例えば、図５に示すようなＧ−ＢＯＯＫのシステム（非特許文献１参照）がある。図５では、▲１▼▲２▼希望の地図を選択し、▲３▼ユーザが持っているＳＤカードをＦａｍｉボードに挿入し、▲４▼購入代金を支払った後、▲５▼ＳＤカードに約１〜６分でダウンロードして、▲６▼処理を完了する。
このシステムは、自動販売機でカーナビ用の地図情報をＩＣメモリへダウンロードするサービスを実現しているが、従来のカーナビでは、ＩＣメモリに対応していないので使用できないという問題点がある。図５のシステムに対応するためには、従来の記録媒体（ＣＤ−ＲＯＭまたはＤＶＤ−ＲＯＭ）に加えて新たにＩＣメモリにも対応したカーナビ端末を入手する必要があり、費用がその分かかることになるとともに、不要となったカーナビ端末をゴミとして廃棄しなくてはならなくなり、ゴミ問題や資源の無駄使いの問題が生じてくる。
【０００５】
【特許文献１】
特開２００２−５６６９号公報
【非特許文献１】
『専用地図をダウンロードしよう』、トヨタ自動車、〔Ｏｎｌｉｎｅ〕、〔２００２年３月２４日検索〕、インターネット〈ＵＲＬ：ｈｔｔｐ：／／ｈｔｔｐ：／／ｇ−ｂｏｏｋ．ｃｏｍ／ｐｃ／ｅｔｃ／ｄｏｗｎｌｏａｄ／ｍａｐ／〉
【０００６】
【発明が解決しようとする課題】
このように、従来の技術（特許文献１）では、ユーザが家庭用にパソコンとそれに接続した記録媒体を記録する装置（書き換えユニット）を持ち、記録媒体に記録する操作を行えることをユーザに要求するものであるため、これらの装置を備え、かつ熟練したユーザだけが対応できるだけで、全てのユーザに適したシステムとは言い難い。
また、他の技術（非特許文献１）では、従来の記録媒体（ＣＤ−ＲＯＭまたはＤＶＤ−ＲＯＭ）に加えて新たにＩＣメモリにも対応したカーナビ端末を入手する必要があり、費用がその分かかり、しかも不要となったカーナビ端末をゴミとして廃棄しなくてはならなくなって、ゴミ問題や資源の無駄使いの問題が発生する。
【０００７】
そこで、本発明の目的は、これら従来の課題を解決し、記録媒体がユーザが現在保有するナビゲーション用地図情報を記録した記録媒体と互換性があり、かつ個々のユーザの希望に応じて必要最小限の指定地域のみを最新化した地図情報を記録した記録媒体を、適正な価格で、ユーザが希望する時に、ユーザの手近な場所で、簡単に入手できるナビゲーションシステムの電子地図部分更新システム、販売装置、記録した記録媒体および部分更新方法とそのプログラムを提供することにある。
【０００８】
【課題を解決するための手段】
本発明のナビゲーションシステムの地図情報を更新するシステムは、▲１▼最新の地図情報を保有する地図情報データベースを備えた地図情報管理サーバと、該地図情報管理サーバから大容量情報転送網を経由して転送された更新情報を受信し、最新情報に更新するとともに、ユーザが希望する地域の最新情報の記録媒体を自動販売する１以上の地図情報販売装置とを具備することを特徴としている。
また、本発明の電子地図部分更新システムの詳細は、▲２▼オペレータからの最新地図情報を入力処理し、該最新地図情報を送信する地図情報投入用端末装置と、該地図情報投入端末装置から送信された最新地図情報を受信し、接続する地図情報データベースの蓄積情報を該最新地図情報に更新し、更新した地図情報を大容量情報転送網を経由して定期的に送信する地図情報管理サーバと、該地図情報管理サーバから送信された最新地図情報を受信し、格納している地図情報を最新地図情報に更新し、ユーザの操作により、該ユーザが所有する地図情報を一旦読み出し、該ユーザが更新を要求する地域のみを最新化した記録媒体を排出する地図情報販売装置とを有することを特徴としている。
【０００９】
また、本発明のナビゲーションシステムの地図情報を更新するシステムの地図情報販売装置は、▲３▼ユーザにより投入された料金を受付けて確認する手段と、ユーザによる指定操作により地方名、県名、市町村名などの地域単位で最新化する指定地域を受付けて確認する手段と、ユーザにより投入された電子地図を受付けて確認する手段と、該電子地図の地図情報を一旦読み出し、格納している最新地図情報に基づいて該指定地域のみを最新情報に更新し、排出する手段とを有することを特徴としている。
【００１０】
また、本発明のビジネスモデルとしてのナビゲーションシステムの電子地図部分更新システムは、▲５▼前記地図情報管理サーバは、地図情報作成会社あるいはその他の代行会社により管理され、前記地図情報販売装置は、コンビニまたはガソリンスタンドを含む商店または公共企業体が管理することを特徴としている。
【００１１】
本発明の地図情報を記録した記録媒体は、▲６▼ユーザが所有する電子地図の地図情報を個々のユーザの希望に応じて必要最小限の地方名、県名、市区町村名を含む地域単位で最新化し、ユーザ所有の電子地図の地図情報を記録した記録媒体と互換性のある記録媒体に記録したことを特徴としている。
【００１２】
また、本発明のナビゲーションシステムの地図情報更新方法は、▲７▼地図情報投入端末装置がオペレータによる最新地図情報を入力処理するステップと、該地図情報投入端末装置が該最新地図情報を地図情報管理サーバに送信するステップと、該地図情報管理サーバに結合された地図情報データベースに蓄積されている地図情報を更新するステップと、該地図情報管理サーバが該地図情報投入用端末装置に地図情報更新終了を送信するステップと、該地図情報投入端末装置が該地図情報管理サーバから地図情報更新終了通知を受信して、入力完了を表示することでオペレータに知らせるステップと、該地図情報管理サーバが該地図情報データベースより更新された地図情報を読み出すステップと、該地図情報管理サーバが読み出した該地図情報を大容量情報転送網を経由して地図情報販売装置に転送するステップと、該地図情報販売装置が該地図情報販売装置に記憶されている地図情報を更新するステップと、該地図情報販売装置がユーザからの投入料金を受付け確認するステップと、該地図情報販売装置が個々のユーザの要求に応じて地方名、県名、市区町村名を含む地域単位の地図情報を確認処理し、必要最小限の地図情報のみの更新を指定するステップと、該地図情報販売装置によりユーザの投入した電子地図である地図情報を記録した記録媒体を受付け確認処理するステップと、該地図情報販売装置により該地図情報を一旦読み出すステップと、該読み出した地図情報をユーザの指定する地域のみを最新化するステップと、地図情報販売装置によりユーザの該記録媒体と互換性のある記録媒体に記録するステップと、地図情報販売装置により記録した該記録媒体を排出するステップとを有することを特徴としている。
【００１３】
本発明のナビゲーションシステムの電子地図部分更新用プログラムは、▲８▼地図情報管理サーバのコンピュータに、地図情報投入端末装置にオペレータによる最新地図情報の入力処理を指示する手順、該地図情報投入端末装置に該最新地図情報を該地図情報管理サーバに送信するよう指示する手順、該最新地図情報を受信し、結合されている地図情報データベースに蓄積された地図情報を該最新地図情報により更新する手順、該地図情報投入端末装置に地図情報更新終了を送信する手順、該地図情報投入端末装置に該更新終了を受信させ、入力完了を表示させるように指示する手順、該地図情報管理サーバが該地図情報データベースより更新された地図情報を読み出す手順、読み出した該地図情報を大容量情報転送網を経由して地図情報販売装置に転送する手順を、実行させることを特徴としている。また、▲９▼地図情報販売装置のコンピュータに、地図情報管理サーバから転送された地図情報を受信する手順、受信した地図情報により、該地図情報販売装置に記憶されている地図情報を更新する手順、ユーザからの投入料金を受付けて確認処理する手順、個々のユーザの要求に応じて地方名、県名、市区町村名を含む地域単位の地図情報を確認処理し、必要最小限の地図情報のみの更新を行う手順、ユーザの投入した電子地図である地図情報を記録した記録媒体を受付け確認処理する手順、該地図情報を一旦読み出す手順、該読み出した地図情報をユーザの指定する地域のみを最新化する手順、該最新化された地図情報をユーザの該記録媒体と互換性のある記録媒体に記録する手順、記録した該記録媒体を排出する手順を、実行させることを特徴としている。
【００１４】
さらに、本発明のコンピュータ読み出し可能な記録媒体は、上記電子地図部分更新用プログラムを記録したことを特徴としている。
【００１５】
【発明の実施の形態】
以下、本発明の実施形態を、図面により詳細に説明する。
図１は、本発明の一実施形態に係る地図情報を用いたナビゲーションシステムの電子地図部分更新システムの構成図である。
本実施形態に係る電子地図部分更新システムは、地図情報投入端末装置１０と、地図情報データベース１００を有する地図情報管理サーバ２０と、地図情報販売装置３０と、大容量情報転送網４０とから構成される。オペレータ１００により最新地図情報が地図情報投入端末装置１０を使用して入力され、入力された最新地図情報は、地図情報投入端末装置１０から地図情報管理サーバ２０に送信される。地図情報管理サーバ２０は、地図情報管理サーバ２０が有する地図情報データベース２００に蓄積されている地図情報を更新する。
なお、地図情報管理サーバ２０で、直接最新の地図情報を入力する設備が備えられている場合には、地図情報投入端末装置１０から転送されなくても、常時、地図情報データベース２００は最新情報を保有することができる。
【００１６】
これにより、地図情報データベース２００は、常に最新の地図情報に更新され、地図情報管理サーバ２０は更新が終了したことを地図情報投入端末装置１０に送信することにより、地図情報投入端末装置１０は、更新が終了したことを表示してオペレータ１００に知らせる。
これにより、オペレータ１００は最新の地図情報の入力を完了し、地図情報管理サーバ２０は地図情報データベース２００に蓄積されている最新の地図情報を大容量情報転送網４０を経由して地図情報販売装置３０に送信し、地図情報販売装置３０に記憶されている地図情報を常に最新の地図情報に更新する。
【００１７】
図２は、本発明の実施形態に係る電子地図部分更新システムの各装置毎の処理フローチャートである。
Ｓ１１では、地図情報投入端末装置１０へ最新地図情報を入力する。
Ｓ１２では、地図情報投入端末装置１０は地図情報管理サーバ２０へ最新地図情報を送信する。
Ｓ２１では、地図情報管理サーバ２０は地図情報データベース２００の蓄積されている地図情報を最新地図情報に更新する。
Ｓ２４では、地図情報管理サーバ２０は地図情報投入端末装置１０へ地図情報更新終了の通知を送信する。
【００１８】
Ｓ１４では、地図情報投入端末装置１０に更新終了の通知を表示して、オペレータ１００に知らせる。
Ｓ２６では、地図情報管理サーバ２０は地図情報データベース２０から最新地図情報を読み出す。
Ｓ２７では、地図情報管理サーバ２０は地図情報販売装置３０へ最新地図情報を転送する。
Ｓ３１では、地図情報販売装置３０に記憶されている地図情報を、転送された最新の地図情報に更新する。
【００１９】
Ｓ３２では、地図情報販売装置３０にユーザ３００が投入した料金とユーザ３００が更新を指定する地域とユーザ３００が投入した電子地図を記録した記録媒体を受付けて確認する。すなわち、Ｓ３２の詳細を記述すると、Ｓ３２−１では、地図情報販売装置３０にユーザ３００が投入した料金を受付けて、これを確認する。Ｓ３２−２では、ユーザ３００が最新化を希望する更新を指定する地域を受付けて確認する。Ｓ３２−３では、地図情報販売装置３０にユーザ３００が投入した電子地図を受付けて確認する。なお、ユーザ３００は、図１では記載が省略されているが、地図情報販売装置３０で購入する顧客ユーザである。
【００２０】
Ｓ３３では、地図情報販売装置３０にユーザ３００が投入した電子地図の地図情報を読み出す。
Ｓ３４では、地図情報販売装置３０にユーザ３００が指定した地域のみの地図情報を最新化する。
Ｓ３５では、地図情報販売装置３０にユーザ３００が投入した電子地図の記録媒体と互換性のある記録媒体に記録する。
Ｓ３６では、地図情報販売装置３０は更新記録した電子地図を取り出し口に排出する。
【００２１】
【実施例】
以下、本発明の実施例を図３により詳細に説明する。
図３は、本発明の実施例に係る地図情報販売装置の構成図である。
本実施例の構成は、地図情報作成会社１００１とコンビニ１００２とガソリンスタンド１００３とを大容量情報転送網４０で結合して構成される。
地図情報作成会社１００１は、地図情報投入装置１０と地図情報データベース２００を包含する地図情報管理サーバ２０とで構成される。地図情報管理サーバ２０は、オペレータ１００により最新地図情報が地図情報投入端末装置１０に入力されたならば、これを地図情報管理サーバ２０に転送させることにより、この最新地図情報で地図情報データベース２００の格納情報を更新した後、定期的に大容量情報転送網４０を経由してコンビニ１００２やガソリンスタンド１００３に最新情報を転送する。
【００２２】
コンビニ１００２およびガソリンスタンド１００３には、地図情報販売装置３０を設置し、大容量情報転送網４０を経由して転送された最新の地図情報を地図情報販売装置３０内に記憶する。いま、ユーザ３００がコンビニ１００２に来店し、地図情報販売装置３０に対して地図情報の部分更新を選択して操作すると、地図情報販売装置３０は、Ｓ３２によりユーザ３００の投入料金と最新化を希望する指定地域とを受付確認し、ユーザ３００が投入した電子地図を受付け確認し、Ｓ３３からＳ３５により、ユーザ３００が投入した電子地図と互換性（ＣＤ−ＲＯＭやＤＶＤ−ＲＯＭが投入された場合に、ＣＤ−ＲやＤＶＤ−Ｒどどのような互換性）のある記録媒体にユーザ３００の指定する地域のみを最新化して記録し、Ｓ３６により、地図情報販売装置３０は部分更新した電子地図を排出する。
【００２３】
なお、ユーザ３００がナビゲータ端末を新たに買い換えをしなくても、ユーザ３００の現有のナビゲータ端末で使用できる互換性のある記録媒体に、手近なコンビニ１００２やガソリンスタンド１００３などの地図情報販売装置３０を簡単なボタン操作による地域指定することにより、指定地域のみを最新化した電子地図を適切な価格で提供することができる。
なお、ここでは、地図情報販売装置３０は一例としてコンビニやガソリンスタンドに設置されているが、その他の一般商店でもよく、また駅、図書館などの公共企業体の設備を使用させてもらうことも可能である。
【００２４】
図２のフローチャートをコード化して生成されたプログラムを、ＣＤ−ＲＯＭ、ＤＶＤ−ＲＯＭなどの記録媒体に格納することで、地図情報作成会社の地図情報管理サーバ２０に記録媒体を装着しておけば、サーバコンピュータにプログラムをインストールして実行させることにより、本発明を容易に実現できる。また、記録媒体に格納することで、プログラムの引渡しや販売にも便利である。
【００２５】
また、地図情報作成会社や大容量情報転送網を運用する者は、地図情報作成会社あるいは大容量情報転送網の運用者とコンビニやガソリンスタンドなどと連携することにより、本発明をビジネスモデルとして適用し、システムを構築することで、相当の利益を得ることができる。
【００２６】
【発明の効果】
以上説明したように、本発明によれば、手近なコンビニやガソリンスタンドなどに設置した地図情報販売装置の簡単なボタン操作により、希望する地域のみのカーナビシステムを、タイムリーで、かつ適切な価格で、地図情報作成会社は販売することができ、また、ユーザはこれを入手することができる。その結果、
（１）旅行先や業務上の都合により、初めて訪問する不慣れな土地においても、迷走することなく、目的地に到着することができる。
（２）最新の地図情報に対する需要が高まり、地図情報作成会社の利益が向上する。
（３）地図情報という極めて大きな情報を送信するため、通信事業者の利益が向上する。
（４）新たなナビゲーション端末を購入しなくてもよいので、経済的であり、資源の有効活用を図りながら、利便性を向上することができる。
【図面の簡単な説明】
【図１】本発明の一実施形態に係るナビゲーションシステムの電子地図部分更新システムの構成図である。
【図２】本発明の一実施形態に係るナビゲーションシステムの電子地図部分更新システムの動作フローチャートである。
【図３】本発明の一実施例に係る地図情報販売装置の接続動作説明図である。
【図４】従来の技術を説明する地図更新データ書き込み端末の説明図である。
【図５】従来の技術を説明するＩＣメモリへのダウンロードするサービス端末の説明図である。
【符号の説明】
１０…地図情報投入端末装置、２０…地図情報管理サーバ、
３０…地図情報販売装置、１００…オペレータ、
２００…地図情報データベース、３００…ユーザ、
１００１…地図情報作成会社、１００２…コンビニ、
１００３…ガソリンスタンド。
【図１】
2004317735.tif 000003
【図２】
2004317735.tif 000004
【図３】
2004317735.tif 000005
【図４】
2004317735.tif 000006
【図５】
2004317735.tif 000007